(57)【要約】      （修正有）【課題】副収納部の奥ゆきの深浅調整が蓋を開けなくても、簡単に行うことができるランドセルを提供すること。【解決手段】主収納部２と、この前段に位置し、その天部に取り出し口を設けている副収納部３と、この前段に位置する補助収納部４と、これらの収納部の天部および前面が背板１３にその基端を取り付けている蓋１２によって覆われているランドセルであって、この副収納部３の側部および底部を形成している襠６は、その襠を幅方向に分離・結合することが可能な切れ目部９を設け、かつ、その部切れ目部９にスライドファスナー１０を設けている本襠７と、この本襠７の内面側の周縁にその周縁を縫合してなる前記本襠よりも幅広の補助襠８とからなっている。【選択図】図１
2010069294.tif 000002
【特許請求の範囲】
【請求項１】
主収納部およびその前段に位置する副収納部の天部に取り出し口が設けられ、この主収納部および副収納部の天部から前面を蓋で覆っているランドセルにおいて、この副収納部の側部または底部に当該部分を拡幅するための拡幅手段を設けているランドセル。
【請求項２】
前記拡幅手段が、副収納部の襠を幅方向に分離・結合することが可能な切れ目部を設けている本襠と、この本襠の内面側にその周縁を縫合してなる補助襠と、この切れ目部に設けているこの切れ目部を分離・結合するための開閉部材とからなる請求項１記載のランドセル。
【請求項３】
前記補助襠が、前記本襠よりも幅広であって、この補助襠の周縁とこの本襠の周縁とを縫合してなる請求項２記載のランドセル。
【請求項４】
前記切れ目部が、前記本襠の上端近辺を除いて、全体的に設けられている請求項２記載のランドセル。
【請求項５】
前記切れ目部が、前記本襠の全体に設けられている請求項２記載のランドセル。
【請求項６】
前記開閉部材が、前記切れ目部に部分的に設けられている請求項２記載のランドセル。
【請求項７】
前記開閉部材が、スライドファスナーである請求項２記載のランドセル。
【請求項８】
前記補助襠が、本襠とは異なるデザインの生地によって形成されている請求項２記載のランドセル。
【請求項９】
主収納部およびその前段に位置する副収納部の天部に取り出し口が設けられ、この主収納部および副収納部の天部から前面を蓋で覆っているランドセルにおいて、この副収納部は、側部に当該部分を拡幅するための拡幅手段を設けているランドセル。
【請求項１０】
前記副収納部は、側部及び底部に当該部分を連続的に拡幅するための拡幅手段を設けている請求項９記載のランドセル。
【請求項１１】
蓋を主収納部の底部に連結する連結用ベルトが前記蓋に対して昇降可能に取り付けられている請求項１、９または１０記載のランドセル。
【請求項１２】
前記拡幅手段が、副収納部の襠を幅方向に分離・結合することが可能な切れ目部を設けている本襠と、この本襠の内面側にその周縁を縫合してなる補助襠と、この切れ目部に設けているこの切れ目部を分離・結合するための開閉部材とからなる請求項９または１０記載のランドセル。
【請求項１３】
前記切れ目部が、前記本襠の側部の上端から下部に設けられている請求項１２記載のランドセル。
【請求項１４】
前記切れ目部が、前記本襠の全体に設けられている請求項１２記載のランドセル。
【請求項１５】
前記開閉部材が、スライドファスナーである請求項１２記載のランドセル。
【請求項１６】
前記補助襠が、本襠とは異なるデザインの生地によって形成されている請求項１２記載のランドセル。
【発明の詳細な説明】
【技術分野】
【０００１】
本発明は、副収納部の奥ゆきを調整することができるランドセルに関する。
【背景技術】
【０００２】
これまでのランドセルの副収納部の奥ゆきは、ランドセルの主収納部および副収納部に巻き付けている締め付けが調整可能な左右一対のベルトによってその深浅を調整していた。このベルトは締めつけの調整部が副収納部の前面に位置しているので、蓋に覆われている。そのため、副収納部の奥ゆきを調整するときは、その都度、蓋を開けなければならなかった。
【発明の概要】
【発明が解決しようとする課題】
【０００３】
本発明は、蓋を開けなくても、副収納部の奥ゆきの深浅調整を簡単に行うことができるランドセルを提供することを技術課題とする。
【課題を解決するための手段】
【０００４】
本発明のランドセル（請求項１）は、主収納部およびその前段に位置する副収納部の天部に取り出し口が設けられ、この主収納部および副収納部の天部から前面を蓋で覆っているランドセルにおいて、この副収納部の側部または底部に当該部分を拡幅するための拡幅手段を設けていることを特徴としている。
【０００５】
前記拡幅手段は、副収納部の襠を幅方向に分離・結合することが可能な切れ目部を設けている本襠と、この本襠の内面側にその周縁を縫合してなる補助襠と、この切れ目部に設けているこの切れ目部を分離・結合するための開閉部材とからなっているのが好ましい（請求項２）。
【０００６】
前記補助襠は、前記本襠よりも幅広であって、この補助襠の周縁とこの本襠の周縁とを縫合してなるのが好ましい（請求項３）。
【０００７】
前記切れ目部は、前記本襠の上端近辺を除いて、全体的に設けられているのが好ましい（請求項４）。
【０００８】
前記切れ目部は、前記本襠の全体に設けられているのがさらに好ましい（請求項５）。
【０００９】
前記開閉部材は、前記切れ目部に部分的に設けられているのが好ましい（請求項６）。
【００１０】
前記開閉部材は、スライドファスナーであるのが好ましい（請求項７）。
【００１１】
前記補助襠は、本襠とは異なるデザインの生地によって形成されているのが好ましい（請求項８）。
【００１２】
本発明のランドセルの第二の態様（請求項９）は、主収納部およびその前段に位置する副収納部の天部に取り出し口が設けられ、この主収納部および副収納部の天部から前面を蓋で覆っているランドセルにおいて、この副収納部は、側部に当該部分を拡幅するための拡幅手段を設けていることを特徴としている。
【００１３】
前記副収納部は、側部及び底部に当該部分を連続的に拡幅するための拡幅手段を設けているのが好ましい（請求項１０）。
【００１４】
蓋を主収納部の底部に連結する連結用ベルトが前記蓋に対して昇降可能に取り付けられているのが好ましい（請求項１１）。
【００１５】
前記拡幅手段は、副収納部の襠を幅方向に分離・結合することが可能な切れ目部を設けている本襠と、この本襠の内面側にその周縁を縫合してなる補助襠と、この切れ目部に設けているこの切れ目部を分離・結合するための開閉部材とからなっているのが好ましい（請求項１２）。
【００１６】
前記切れ目部は、前記本襠の側部の上端から下部に設けられているのが好ましい（請求項１３）。
【００１７】
前記切れ目部は、前記本襠の全体に設けられているのが好ましい（請求項１４）。
【００１８】
前記開閉部材は、スライドファスナーであるのが好ましい（請求項１５）。
【００１９】
前記補助襠は、本襠とは異なるデザインの生地によって形成されているのが好ましい（請求項１６）。
【発明の効果】
【００２０】
このランドセル（請求項１）は、主収納部およびその前段に位置する副収納部の天部に取り出し口を設けており、この主収納部および副収納部の天部から前面を蓋で覆う形態になっているので、側部および底部は外出状態にある。この副収納部の側部と底部、または側部にはこの側部および底部を拡幅するための拡幅手段が設けられているが、この拡幅手段は外出している。したがって、副収納部の奥ゆきの深浅を調整するのに、従来のランドセルのように、わざわざ蓋を開ける面倒はないので、簡単に調整することができる。
【００２１】
前記拡幅手段が、副収納部の襠を幅方向に分離・結合することが可能な切れ目部を設けている本襠と、この本襠の内面側にその周縁を縫合してなる補助襠と、この切れ目部に設けているこの切れ目部を分離・結合するための開閉部材とからなる場合（請求項２）、本襠は切れ目部に開閉部材が設けられているので、開閉自在になっている。したがって、本襠の切れ目部を左右に開いて広げたとき、その間は補助襠が表出するので、副収納部の奥ゆきを深くすることができる。また、この切れ目部を閉じたとき、補助襠は本襠の内面に収容されるので、副収納部の奥ゆきは原に戻るとともに浅くすることができる。つまり、副収納部の奥ゆきは蓋から外出している本襠を開閉するだけで、簡単にその深浅を調整することができる。
【００２２】
前記補助襠が、前記本襠よりも幅広であって、この補助襠の周縁とこの本襠の周縁とを縫合してなる場合（請求項３）、切れ目部を閉じている場合、副収納部の側部と底部は本襠と補助襠とによって二重構造になるので、強度が増す。したがって、副収納部は重量物などによる型崩れなどを防止できる。また、切れ目部を開けている場合、補助襠の周縁は本襠によって二重構造になるので、強化される。したがって、副収納部の襠は奥ゆきが深くなっても、収納物などによる型崩れは防止される。
【００２３】
前記切れ目部が、前記本襠の上端近辺を除いた全体に設けられている場合（請求項４）、この切れ目部は前記取り出し口に直結していない。そのため、副収納部は切れ目部を全開して奥ゆきを深くしても、取り出し口の奥ゆきには一切、影響を及ぼすことはない。したがって副収納部の奥ゆきが深くなっても取り出し口の奥ゆきは浅いので、副収納部に収容された物が飛び出ないように取り出し口を浅く調整する必要は特にない。
【００２４】
前記切れ目部が、前記本襠の全体に設けられている場合（請求項５）、この切れ目部は取り出し口に直結している。そのため、副収納部は切れ目部を全開したとき、副収納部の奥ゆきが深くなるとともに取り出し口の奥ゆきも同時に深くなる。したがって、副収納部は特に大型物の出し入れおよび収容が容易になる。また、切れ目部の上部を結合することによって、副収納部の上部、つまり取り出し口の奥ゆきを下部の奥ゆきよりも浅くすることは可能である。したがって、副収納部の取り出し口の奥ゆきを浅くすることによって、中に収容された物が飛び出ることは防止できる。
【００２５】
前記開閉部材が、前記切れ目部に部分的に設けられている場合（請求項６）、切れ目部の分離・結合は部分的に行えばよいので、簡単かつ迅速に得られる。
【００２６】
前記開閉部材が、スライドファスナーである場合（請求項７）、スライドファスナーはエレメントの結合位置を無段階に調整することが可能になっている。したがって、副収納部の奥ゆきはスライドフイァスナーのエレメントの結合位置によって、その深浅部位を調整することができる。
【００２７】
前記補助襠が、ランドセル本体とは異なるデザインの生地によって形成されている場合（請求項８）、副収納部は補助襠の出没によって、趣の異なる外観を呈する。
【００２８】
本発明のランドセルの第二の態様（請求項９）は、主収納部およびその前段に位置する副収納部の天部に取り出し口を設けており、この主収納部および副収納部の天部から前面を蓋で覆う形態になっているので、側部は外出状態にある。この副収納部は、側部にこの側部を拡幅するための拡幅手段が設けられているが、この拡幅手段は外出している。したがって、副収納部の側部の奥ゆきの深浅を調整するのに、従来のランドセルのように、わざわざ蓋を開ける面倒はないので、簡単に調整することができる。
【００２９】
前記副収納部が、側部及び底部に当該部分を拡幅するための拡幅手段を設けている場合（請求項１０）、側部及び底部は蓋に覆われていないので、外出状態にある。そのため、側部および底部が連続的に拡幅するための拡幅手段も外出している。したがって、副収納部の側部及び底部の奥ゆきの深浅を調整するのが簡単に行える。
【００３０】
蓋を主収納部の底部に連結する連結用ベルトが前記蓋に対して昇降可能に取り付けられている場合（請求項１１）、連結用ベルトは蓋の下端から出る長さが調節可能になっている。そのため、副収納部の側部が拡幅しても、また、側部及び底部が拡幅しても連結用ベルトは長くなって、主収納部の底部に連結することができる。
【００３１】
前記拡幅手段が、副収納部の襠を幅方向に分離・結合することが可能な切れ目部を設けている本襠と、この本襠の内面側にその周縁を縫合してなる補助襠と、この切れ目部に設けているこの切れ目部を分離・結合するための開閉部材とからなっている場合（請求項１２）、本襠は切れ目部に開閉部材が設けられているので、開閉自在になっている。したがって、本襠の切れ目部を左右に開いて広げたとき、その間は補助襠が表出するので、副収納部の奥ゆきを深くすることができる。また、この切れ目部を閉じたとき、補助襠は本襠の内面に収容されるので、副収納部の奥ゆきは原に戻るとともに浅くすることができる。つまり、副収納部の奥ゆきは蓋から外出している本襠を開閉するだけで、簡単にその深浅を調整することができる。
【００３２】
前記切れ目部が、前記本襠の側部の上端から下部に設けられている場合（請求項１３）、この切れ目部は前記取り出し口に直結している。そのため、副収納部は切れ目部を開いたとき、副収納部の側部が拡幅すると共に、取り出し口の奥ゆきが深くなる。したがって、副収納部の容量が拡大すると共に物の出し入れが容易になる。
【００３３】
前記切れ目部が、前記本襠の全体に設けられている場合（請求項１４）、前記副収納部の容量はさらに拡大する。
【００３４】
前記開閉部材が、スライドファスナーである場合（請求項１５）、スライドファスナーはエレメントの結合位置を無段階に調整することが可能になっている。したがって、副収納部の奥ゆきはスライドフイァスナーのエレメントの結合位置によって、その深浅部位を調整することができる。
【００３５】
前記補助襠が、本襠とは異なるデザインの生地によって形成されている場合（請求項１６）、副収納部は補助襠の出没によって、趣の異なる外観を呈する。
【図面の簡単な説明】
【００３６】
【図１】図１は、本発明のランドセルの実施形態を示す一部切り欠いた状態の斜視図である。
【図２】図２ａは、図１のランドセルの右側面図、図２ｂは同左側面図、図２ｃは同底面図である。
【図３】図３は、図１のランドセルの副収納部の襠の構成説明図である。
【図４】図４ａは、図１のランドセルのスライドファスナーを開いた状態の要部左側面図、図４ｂは図４ａの要部底面図である。
【図５】図５は、図４のＡＡ線断面図である。
【図６】図６は、本発明のランドセルのその他の実施形態を示す側面図である。
【図７】図７ａおよび図７ｂは、図６の説明図である。
【図８】図８は、本発明のランドセルのその他の実施形態を示す側面の説明図である。
【図９】図９は、本発明のランドセルのその他の実施形態を示す側面の説明図である。
【発明を実施するための形態】
【００３７】
図１に示すランドセル１は一般に多見されるように、収納部は、主収納部２と、その前段に位置する副収納部３と、その前段に位置する補助収納部４とからなる。副収納部３の天部は全体が取り出し口５になっている。また、その側部３ａおよび底部３ｂは襠６によって形成されている。主収納部２の天部から補助収納部４の前部にかけては蓋１２で覆われている。なお、主収納部２の天部も全体が取り出し口２ａになっている。以下に詳述する。
【００３８】
図１に示すように、ランドセル１の蓋１２は、この基端を背板１３に取り付けている。その先端側にはＹ字状のベルト１４が取り付けられている。図２ｃに示すように、Ｙ字状のベルト１４の先端には、ランドセル１の主収納部２の底面に設けられている錠前１５の雌部材１５ａに係脱可能な雄部材１５ｂが取り付けられている。この錠前１５はランドセル錠として一般的に使用されているもので、雌部材１５ａには凹部が形成され、また、この凹部には回転可能な突起状の掛止め部１６ａが設けられている。また、雄部材１５ｂにはこの掛止め部１６ａに係脱可能な掛止め用の穴１６ｂが２〜３個設けられている。この雌雄の各部材は掛止め部１６ａに係合した穴１６ｂの上面より掛止め部１６ａを回転させて雌雄部材の脱抜を防止している。
【００３９】
雄部材１５ｂの先端側に位置する穴１６ｂを掛止め部１６ａに係止して施錠したとき、図２ａに示す二点鎖線のように、蓋１２は外側方向に張り出し、補助収納部４との間に大きな空間Ｓを形成する。この空間Ｓの奥ゆきは後述する副収納部３の襠６が拡幅するのを許容する深さになっている。この実施形態では、副収納部３の襠６の襠幅が拡幅前の略１．５〜２．５倍程度に拡幅された場合を想定している。なお、錠前は、上述の構造に限定されるものではない。空間Ｓが大きく取ることが可能な錠前は副収納部の奥ゆきをさらに深くさせることができるので、さらに好ましい。
【００４０】
また、収納量や大きさの物をある程度超えて収納した場合でも、被せ蓋を確実に閉じて係合できるように、例えば、係止部を自在に延伸できるようにするためのアジャスター機構を設ける（特開２００４−３５７７６６参照）方法でもよい。また、伸縮部材を介してＹ字状ベルトを蓋に取り付けてもよい。
【００４１】
副収納部３の天部は、前述のとおり、全体が開放状態の取り出し口になっており、また、側部３ａおよび底部３ｂは、襠６によって形成されている。この襠６は、図１また図３に示すように、本襠７と、この本襠の内面側に設けられ、かつ、この本襠７の襠幅よりも幅広の補助襠８とからなっている。
【００４２】
本襠７は張り性を有する皮革地、また合成皮革地からなり、図３の二点鎖線で示すように、幅狭の矩形の一枚地を凹状に屈曲して側部７ａと底部７ｂを形成している。また、その側部７ａと底部７ｂの中心には、側部７ａの両側上端付近を残して、その下方全体に凹状の切れ目部９を形成している。この切れ目部９には本襠７を前後に分離・結合する１本のスライドファスナー１０が設けられている（図２ａ乃至図２ｃ参照）。スライドファスナー１０のエレメントを分離することによって、本襠７の側部７ａおよび底部７ｂは分離される。図３に示すように、前側の分離部７ｃは本襠７の上端部またはスライドファスナー１０のスライダーの停止部を支点として蓋側１２にわずかに回動させることができる（図４ａ参照）。そして、回動させることによって、図３および図４ａに示すように側部７ａは、前側の分離部７ｃと後側の分離部７ｄが開いて、二等辺三角形の対向辺を形成するように幅が広がる。また、図３および図４ｂに示すように底部７ｂは前側の分離部７ｃと後側の分離部７ｄとによって矩形の対向辺（長辺）を形成するように幅が広がる。
【００４３】
なお、前記１本のスライドファスナー１０に２本のスライダーを左右対向状態に設けてもよい。この場合、本襠７の切れ目部９の分離・結合位置は２本のスライダーによって自由に調整することができる。例えば、エレメントの結合を左右対称にしたり、また、左右の一方だけにするなど、自由にその結合位置を決めることができる。
【００４４】
補助襠８は、図３に示すように、本襠７と同じ張り性を有する一枚の皮革地あるいは合成皮革地を凹状に折り曲げて側部８ａと底部８ｂを形成している。この、底部８ｂは矩形状に形成されており、その襠幅はスライドファスナー１０を結合した本襠７の襠幅Ｄの略１．５〜２．５倍程度になっている。側部８ａはその下辺がこの襠幅と同じ長さの略二等辺三角形状に形成されている。補助襠８と本襠７は、図３および図４ａ、ｂに示すようにそれぞれの周縁を重ね合わせて縫合し、襠６を形成している。
【００４５】
図４に示すように、スライドファスナー１０を開いて本襠７を前後方向に分離させたとき、この分離した間は内側の補助襠８によって面が形成される。また、副収納部３の襠６の側部６ａは略二等辺三角形に形成され、底部６ｂは幅広の矩形に形成される。しかして副収納部３は襠６の奥ゆきが全体的に広がるので、厚みのある大型物などの収容が可能になる。一方、取り出し口５の奥ゆきは、図４ａに示すように収納部分の奥ゆきよりも浅い。したがって、この副収納部に収容された収納物は取り出し口５が狭いので、取り出し口から飛び出るのが防止される。
【００４６】
補助襠８は周縁付近が前側の分離部７ｃと後側の分離部７ｄと重合しているので、補強される。したがって、副収納部３は大型物や重量物を収容しても、簡単に型崩れすることなく、好体裁の外観を維持することができる。
【００４７】
副収納部３は、図４のスライドファスナー全体を結合させるだけで、図１に示すように幅広から幅狭の襠へ簡単に変化させることができる。また、補助襠８は本襠７の裏側に位置するので、一切外見されないし、また、表出しないので、煩雑にならない。襠６は、本襠７と補助襠８とによって二重構造になるので、頑丈である。
【００４８】
補助襠８は、図５に示すように、側部８ａおよび底部８ｂの内側の中央部に一条の摘み部２０を形成し、また、同交叉部に内向きに折り曲がる折り癖２１をつけているのが好ましい。この摘み部２０と折り癖２１を設けることによって、補助襠８は全体的が内向きに付勢されるので、スライドファスナー１０のスライダーによる摺損は防止される。また、副収納部３への収納が容易になる。なお、この実施形態では、補助襠８の素材は前述のとおり、張り性のある素材を採用しているが、副収納部３に収容させ易い柔軟な素材であってもよい。
【００４９】
図４ａに示すように、補助襠８の生地は図柄２５を設けたものが好ましい。例えば、キャラクターやチェック柄など、本襠７とは異なるデザインの生地を採用するのが好ましい。副収納部３の襠６はスライドファスナーのエレメントを分離して拡幅されることによって、拡幅前にはなかったデザインが表出するので、興趣がある。また、補助襠は、本襠と同色または異色の無地であってもよい。
【００５０】
その他の実施形態としては、図６の二点鎖線で示すように、図１のスライドファスナー１０をその両側が本襠７の上端より突出するように設けている。この場合、図６ａに示すように、本襠７は、全体が完全に分離可能となっている。この実施形態の本襠７と補助襠８は、図６ａに示すように、いずれも矩形の生地を凹状に形成して側部と底部を形成している。補助襠８の襠幅は、本襠７の襠幅の略１．５〜２．５倍程度が好ましい。しかし、ランドセルの蓋（図１を参照）が施錠できるならば、さらに幅広であってもよい。補助襠８は、前記実施形態と同じように、側部および底部の内側の中央部に一条の摘み部が設けられ、また、同交叉部に内向きに折り曲がる折り癖がつけられているので、全体が内向きに付勢されるようになっている。本襠７と補助襠８はそれぞれの周縁同士を重ね合わせて縫合し、襠６を形成している。スライドファスナー１０には２本のスライダーを左右対向状態で設けている。しかし１本でもよい。図６ｂに示すように、スライドファスナー１０が本襠の上端より突き出ている部分１０ａの長さは当該部分のエレメントを完全分離して左右に開いたとき、図６ａに示すように、補助襠が完全に展開できる長さになっている。図７に示すように、スライドファスナーの突出している部分は副収納部３の内側に止着できるようにしておけばよい。
【００５１】
しかして、図６ａに示すように、スライドファスナー１０を全開したとき、副収納部３の襠６は、本襠７が前後に二分され、その間より補助襠８が表出して幅広になる。また、副収納部３の襠６は、全体が均等に拡福されるとともに、取り出し口５の奥ゆきも広がって大きく開口するので、物の出し入れが容易となる。スライドファスナー１０に左右対向状態で設けているスライダーを図６ｂに示すように下降させれば、取り出し口５の奥ゆきは浅くなるので、中に収容した大型収納物は取り出し口から飛び出るのが防止される。
【００５２】
さらに、その他の実施形態としては、図８に示すように、図１の本襠に設けたスライドファスナー１０の取り付け位置を主収納部２寄りに移動させている。スライドファスナー１０の長さは、実線で示すように側部の上端より突き出ないようにしてもよいし、図６ｂに示すように本襠の上端より突き出して副収納部３の取り出し口５の奥ゆきを調節できるようにしてもよい。
【００５３】
また、その他の実施形態のランドセルとしては、先の実施形態のランドセルの副収納部の構造以外は同じ構造のもので、その副収納部３は、天部が取り出し口５で、全面が開口している。側部７ａと底部７ｂは襠６によって形成されている。襠６は本襠７と補助襠８とからなっている。本襠７は張り性を有する皮革地、また合成皮革地からなり、矩形の一枚地を凹状に屈曲して側部７ａと底部７ｂを形成している。その左右の側部７ａの中心には、それぞれの側部７ａの上端よりその下部に切れ目部９を形成している。この左右の切れ目部９には本襠７の側部７ａを前後に分離・結合する１本のスライドファスナー１０がそれぞれ設けられているが、スライドファスナー１０のスライダーを側部７ａの上端に引き上げることによって、エレメントは完全結合して切れ目部９は結合し、また、エレメントを引き下げることによって、エレメントは分離して切れ目部９は分離するようになっている。
【００５４】
図９に示すように完全に分離した状態では、前側の分離部７ｃはスライドファスナー１０のスライダーの停止部を支点として蓋側１２にわずかに回動させることができる。そして、回動させることによって、側部７ａは、前側の分離部７ｃと後側の分離部７ｄが開いて、逆二等辺三角形の対向辺を形成するように側部７ａの上端の幅が広がる。つまり、取り出し口５の奥ゆきが深くすることが可能になっている。
【００５５】
補助襠８は、本襠７と同じ張り性を有する一枚の皮革地あるいは合成皮革地を縦長の台形状に形成されている。補助襠８はその台形状の底辺、つまり幅広の辺を本襠７の上端に合わせて、その他の辺の周縁を切れ目部９に沿わし、本襠７の内面側に縫合している。
【００５６】
図９に示すように、スライドファスナー１０を開いて本襠７を前後方向に分離させたとき、この分離した間は内側の補助襠８によって面が形成される。また、副収納部３の襠６の側部６ａは上端が幅広で下方に向かって幅狭に形成される。しかして副収納部３は襠６の奥ゆきが全体的に広がるので、厚みのある大型物などの収容が可能になる。一方、取り出し口５の奥ゆきも広がるので、物の出し入れが容易になる。
なお、この実施形態における蓋についても、前実施形態と同じく、Ｙ字状ベルトおよび雄部材が設けられている（図示省略）。雄部材は、主収納部の底面に設けられている錠前の雌部材に係脱可能になっている。さらに前述のとおり、アジャスター機構を設けたり、また伸縮部材を設けて、Ｙ字状ベルトの長さが調節可能になっている。
【００５７】
さらにその他の実施形態（図示外）として、スライドファスナーのテープ部分を本襠の代わりとして用いてもよい。この場合、テープ部の周縁と補助襠の周縁とを縫合して、副収納部の襠を形成する。この本襠は、前記の実施形態のような皮革地、合成皮革地によるものではなく、また、エレメントのベースであるテープを利用しているので、ランドセルの軽量化と経済性に効果を奏する。さらに、前記実施形態のように本襠に切れ目部を形成してスライドファスナーを取り付ける煩雑な作業はないので、作業効率も高まる。なお、スライドファスナーのテープは張り性があり、幅広のものがよい。また、補助襠の形状は前記実施形態と同様である。
【００５８】
また、前記実施形態のスライドファスナーに変えて、切れ目部の右側と左側に磁極の異なる一対の磁性部材をそれぞれ設けてもよい。磁性部材は小片に形成されたものを切れ目部に部分的に設けてもよいし、また凹状の枠切れ目部に全面的に設けてもよい。
【００５９】
また、スライドファスナーや磁性部材などを設けないで、切れ目部の両側に切れ目部の要所要所に閉じ状態を保持するための止着部材を設けてもよい。なお、この止着部材は前記実施形態の磁性部材を設けた両側に設けてもよい。
【００６０】
なお、全実施形態において、従来のように主収納部と副収納部を取り巻く左右一対のベルトをランドセルに設けて、副収納部の取り出し口の奥ゆきをさらに浅くさせてもよい。
【符号の説明】
【００６１】
１  ランドセル
２  主収納部
３  副収納部
４  補助収納部
５  取り出し口
６  襠
６ａ  側部
６ｂ  底部
７  本襠
７ａ  側部
７ｂ  底部
７ｃ  前側分離部
７ｄ  後側分離部
８  補助襠
８ａ  側部
８ｂ  底部
９  切れ目部
１０  スライドファスナー
１０ａ  突き出ている部分
１２  蓋
１３  背板
１４  Ｙ字状ベルト
１５  錠前
１５ａ  雌部材
１５ｂ  雄部材
１６ａ  掛け止め部
１６ｂ  穴
２０  摘み部
２１  折り癖
２５  図柄
Ｄ  奥ゆき
【図１】
2010069294.tif 000003
【図２】
2010069294.tif 000004
【図３】
2010069294.tif 000005
【図４】
2010069294.tif 000006
【図５】
2010069294.tif 000007
【図６】
2010069294.tif 000008
【図７】
2010069294.tif 000009
【図８】
2010069294.tif 000010
【図９】
2010069294.tif 000011